(57)【要約】【課題】被記録媒体を支持面に吸引して支持しつつ搬送する際、記録不良を抑制しつつ被記録媒体と支持面との抵抗を低減する。【解決手段】複数の吸引孔１４が形成された支持面４ａを有し、吸引孔１４に連通する内部空間１５に負圧を付与して支持面４ａに沿って搬送される被記録媒体Ｐを支持する支持台４と、支持面４ａに支持された被記録媒体Ｐに対し、流体を噴射して記録する記録ヘッド７と、内部空間１５の内部の気体の流れを妨げる仕切り部材１６と、を有し、支持面４ａは、被記録媒体Ｐの搬送方向Ａにおいて、第１吸引力を発生させる第１領域Ｒａと、第１吸引力よりも弱い第２吸引力を発生させる第２領域Ｒｂと、を有する記録装置１。【選択図】図９
2020049750.tif 000002
【特許請求の範囲】
【請求項１】
複数の吸引孔が形成された支持面を有し、前記吸引孔に連通する内部空間に負圧を付与して前記支持面に沿って搬送される被記録媒体を支持する支持台と、
前記支持面に支持された前記被記録媒体に対し、流体を噴射して記録する記録ヘッドと、
前記内部空間の内部の気体の流れを妨げる仕切り部材と、
を有し、
前記支持面は、前記被記録媒体の搬送方向において、第１吸引力を発生させる第１領域と、前記第１吸引力よりも弱い第２吸引力を発生させる第２領域と、を有することを特徴とする記録装置。
【請求項２】
請求項１に記載の記録装置において、
前記仕切り部材は、前記内部空間において着脱可能に構成されていることを特徴とする記録装置。
【請求項３】
請求項１または２に記載の記録装置において、
前記仕切り部材は、前記内部空間において前記搬送方向に移動可能に構成されていることを特徴とする記録装置。
【請求項４】
請求項１から３のいずれか１項に記載の記録装置において、
前記仕切り部材は、前記内部空間において前記搬送方向と交差する方向に移動可能に構成されていることを特徴とする記録装置。
【請求項５】
複数の吸引孔が形成された支持面を有し、前記吸引孔に連通する内部空間に負圧を付与して前記支持面に沿って搬送される被記録媒体を支持する支持台と、
前記支持面に支持された前記被記録媒体に対し、流体を噴射して記録する記録ヘッドと、
を有し、
前記支持面は、前記被記録媒体の搬送方向において、第１吸引力を発生させる第１領域と、第２吸引力を発生させる第２領域と、を有し、
前記第２領域に形成される前記吸引孔は、前記第１領域に形成される前記吸引孔と形状が異なることで、前記第２吸引力は前記第１吸引力よりも弱くなるように構成されていることを特徴とする記録装置。
【請求項６】
請求項５に記載の記録装置において、
前記第１領域に形成される前記吸引孔は、前記搬送方向と交差する方向に延びる通し孔であることを特徴とする記録装置。
【請求項７】
請求項１から６のいずれか１項に記載の記録装置において、
前記第２領域は、前記搬送方向において、前記第１領域を挟む位置に設けられていることを特徴とする記録装置。
【請求項８】
請求項１から７のいずれか１項に記載の記録装置において、
前記第１領域に形成される前記吸引孔に連通する前記内部空間と、前記第２領域に形成される前記吸引孔に連通する前記内部空間とは、１つの負圧室に設けられていることを特徴とする記録装置。
【発明の詳細な説明】
【技術分野】
【０００１】
本発明は、記録装置に関する。
【背景技術】
【０００２】
従来から、様々な構成の記録装置が使用されている。このうち、搬送される被記録媒体を吸引孔が形成された支持面で被記録媒体を吸引しつつ支持し、該支持面で支持されつつ搬送される被記録媒体に記録を行う記録装置がある。  
例えば、特許文献１には、複数の吸引孔が形成された吸引プラテンで記録紙を吸引しつつ支持し、該吸引プラテンで支持されつつ搬送される記録紙に記録を行うプリンターが開示されている。
【先行技術文献】
【特許文献】
【０００３】
【特許文献１】特開２０１７−１２１７０５号公報
【発明の概要】
【発明が解決しようとする課題】
【０００４】
特許文献１のプリンターのように、吸引孔が形成された支持面で被記録媒体を吸引しつつ支持する支持台を備える構成においては、被記録媒体の支持面への吸引力が弱いと、被記録媒体に浮きが発生して記録不良が生じる場合がある。一方、被記録媒体の支持面への吸引力強いと、被記録媒体と支持面との抵抗が大きくなり、被記録媒体が搬送されずに搬送不良が生じる場合や、被記録媒体の搬送部におけるモーターの負荷が増大する場合がある。
【課題を解決するための手段】
【０００５】
上記課題を解決するための本発明の記録装置は、複数の吸引孔が形成された支持面を有し、前記吸引孔に連通する内部空間に負圧を付与して前記支持面に沿って搬送される被記録媒体を支持する支持台と、前記支持面に支持された前記被記録媒体に対し、流体を噴射して記録する記録ヘッドと、前記内部空間の内部の気体の流れを妨げる仕切り部材と、を有し、前記支持面は、前記被記録媒体の搬送方向において、第１吸引力を発生させる第１領域と、前記第１吸引力よりも弱い第２吸引力を発生させる第２領域と、を有することを特徴とする。
【図面の簡単な説明】
【０００６】
【図１】本発明の実施例１に係る記録装置を表す側面図。
【図２】本発明の実施例１に係る記録装置を表す背面側からの斜視図。
【図３】本発明の実施例１に係る記録装置を表す正面側からの斜視図。
【図４】本発明の実施例１に係る液体吐出装置のブロック図。
【図５】本発明の実施例１に係る記録装置の一部を表す斜視図であって、支持面を外した状態を表す図。
【図６】本発明の実施例１に係る記録装置の支持機構を表す斜視図であって、支持面を外した状態を表す図。
【図７】本発明の実施例１に係る記録装置の支持機構を表す斜視図であって、図６の状態から仕切り部材を外した状態を表す図。
【図８】本発明の実施例１に係る記録装置の支持機構を表す側面断面図。
【図９】本発明の実施例１に係る記録装置の支持機構を表す概略側面断面図。
【図１０】本発明の実施例２に係る記録装置の支持機構を表す概略側面断面図。
【図１１】本発明の実施例３に係る記録装置の支持機構を表す概略側面断面図。
【発明を実施するための形態】
【０００７】
最初に、本発明について概略的に説明する。  
上記課題を解決するための本発明の第１の態様の記録装置は、複数の吸引孔が形成された支持面を有し、前記吸引孔に連通する内部空間に負圧を付与して前記支持面に沿って搬送される被記録媒体を支持する支持台と、前記支持面に支持された前記被記録媒体に対し、流体を噴射して記録する記録ヘッドと、前記内部空間の内部の気体の流れを妨げる仕切り部材と、を有し、前記支持面は、前記被記録媒体の搬送方向において、第１吸引力を発生させる第１領域と、前記第１吸引力よりも弱い第２吸引力を発生させる第２領域と、を有することを特徴とする。
【０００８】
本態様によれば、支持台の内部空間に気体の流れを妨げる仕切り部材を有し、強い第１吸引力を発生させる第１領域と弱い第２吸引力を発生させる第２領域とを支持面に有する。このため、例えば、被記録媒体に浮きが生じると記録不良を招く虞がある領域を第１領域とし、残りの領域を第２領域とすることなどにより、記録不良を抑制しつつ被記録媒体と支持面との抵抗を低減することができる。
【０００９】
本発明の第２の態様の記録装置は、前記第１の態様において、前記仕切り部材は、前記内部空間において着脱可能に構成されていることを特徴とする。
【００１０】
本態様によれば、仕切り部材は内部空間において着脱可能に構成されているので、仕切り部材の交換や清掃などを簡単に行うことができる。
【００１１】
本発明の第３の態様の記録装置は、前記第１又は第２の態様において、前記仕切り部材は、前記内部空間において前記搬送方向に移動可能に構成されていることを特徴とする。
【００１２】
本態様によれば、仕切り部材は内部空間において搬送方向に移動可能に構成されているので、使用する被記録媒体の種類などに応じて、搬送方向における第１領域と第２領域の比率を簡単に変えることができる。
【００１３】
本発明の第４の態様の記録装置は、前記第１から第３のいずれか１つの態様において、前記仕切り部材は、前記内部空間において前記搬送方向と交差する方向に移動可能に構成されていることを特徴とする。
【００１４】
本態様によれば、仕切り部材は内部空間において搬送方向と交差する方向に移動可能に構成されているので、使用する被記録媒体の幅などに応じて、搬送方向と交差する方向における第１領域と第２領域の比率を簡単に変えることができる。
【００１５】
本発明の第５の態様の記録装置は、複数の吸引孔が形成された支持面を有し、前記吸引孔に連通する内部空間に負圧を付与して前記支持面に沿って搬送される被記録媒体を支持する支持台と、前記支持面に支持された前記被記録媒体に対し、流体を噴射して記録する記録ヘッドと、を有し、前記支持面は、前記被記録媒体の搬送方向において、第１吸引力を発生させる第１領域と、第２吸引力を発生させる第２領域と、を有し、前記第２領域に形成される前記吸引孔は、前記第１領域に形成される前記吸引孔と形状が異なることで、前記第２吸引力は前記第１吸引力よりも弱くなるように構成されていることを特徴とする。
【００１６】
本態様によれば、第２領域に形成される吸引孔は、第１領域に形成される吸引孔と形状が異なることで、第２吸引力は第１吸引力と異なるように構成されている。すなわち、強い第１吸引力を発生させる第１領域と弱い第２吸引力を発生させる第２領域とを支持面に有する。このため、例えば、被記録媒体に浮きが生じると記録不良を招く虞がある領域を第１領域とし、残りの領域を第２領域とすることなどにより、記録不良を抑制しつつ被記録媒体と支持面との抵抗を低減することができる。
【００１７】
本発明の第６の態様の記録装置は、前記第５の態様において、前記第１領域に形成される前記吸引孔は、前記搬送方向と交差する方向に延びる通し孔であることを特徴とする。
【００１８】
本態様によれば、第１領域に形成される吸引孔は搬送方向と交差する方向に延びる通し孔であるので、第２領域に形成される吸引孔よりも開口面積が大きく吸引力の強い吸引孔を簡単に形成することができる。
【００１９】
本発明の第７の態様の記録装置は、前記第１から第６のいずれか１つの態様において、前記第２領域は、前記搬送方向において、前記第１領域を挟む位置に設けられていることを特徴とする。
【００２０】
本態様によれば、第２領域は搬送方向において第１領域を挟む位置に設けられている。すなわち、搬送方向において強い第１吸引力を発生させる第１領域を弱い第２吸引力を発生させる第２領域で挟んでいる。このため、搬送される被記録媒体が第１領域及び第２領域からなる吸引領域を通過する際の該吸引領域での被記録媒体の引っ掛かりなどを抑制でき、被記録媒体の搬送不良を抑制できる。
【００２１】
本発明の第８の態様の記録装置は、前記第１から第７のいずれか１つの態様において、前記第１領域に形成される前記吸引孔に連通する前記内部空間と、前記第２領域に形成される前記吸引孔に連通する前記内部空間とは、１つの負圧室に設けられていることを特徴とする。
【００２２】
本態様によれば、第１領域に形成される吸引孔に連通する内部空間と、第２領域に形成される吸引孔に連通する内部空間とは、１つの負圧室に設けられている。このため、支持台の構成を簡単にできる。
【００２３】
次に、本発明の一実施例に係る記録装置について、添付図面を参照して詳細に説明する。最初に、図１から図３を参照して本実施例の記録装置１の概要について説明する。なお、本実施例の記録装置１は、記録ヘッド７から被記録媒体Ｐに液体（流体）であるインクを吐出して記録を行うインクジェット記録装置である。
【００２４】
図１で表されるように、本実施例の記録装置１は、被記録媒体Ｐのセット部２から、被記録媒体Ｐの支持台であるプラテン３、プラテン４及びプラテン５を介して、被記録媒体Ｐの巻取部６まで、被記録媒体Ｐを搬送方向Ａに搬送する。すなわち、セット部２から巻取部６までが記録装置１における被記録媒体Ｐの搬送経路であり、プラテン３、プラテン４及びプラテン５は該搬送経路に設けられた被記録媒体Ｐの支持台である。ここで、セット部２は回転方向Ｃに回転して被記録媒体Ｐを送出し、巻取部６は回転方向Ｃに回転して被記録媒体Ｐを巻き取る。なお、本実施例の記録装置１は、記録ヘッド７と対向する位置を含んで被記録媒体Ｐを支持するプラテン４などを含む支持機構１１を要部としている。本実施例の記録装置１の要部である支持機構１１についての詳細は後述する。
【００２５】
ここで、本実施例の記録装置１は、ロール状の被記録媒体Ｐに記録を行うことが可能な構成であるが、このような構成に限定されず、単票状の被記録媒体Ｐに記録を行うことが可能な構成であってもよい。単票状の被記録媒体Ｐに記録を行うことが可能な構成である場合、被記録媒体Ｐのセット部２として、例えば、所謂、給送トレイ及び給送カセットなどと呼ばれるものを使用してもよい。また、被記録媒体Ｐの回収部として、巻取部６以外の回収部として、例えば、所謂、排出用受部、排出トレイ及び排出カセットなどと呼ばれるものを使用してもよい。
【００２６】
なお、本実施例では記録面Ｐｆが外側になるように巻かれているロール式の被記録媒体Ｐを使用しているので、被記録媒体Ｐをセット部２から送出する際、セット部２の回転軸は回転方向Ｃに回転する。一方、記録面Ｐｆが内側になるように巻かれているロール式の被記録媒体Ｐを使用する場合は、セット部２の回転軸は回転方向Ｃとは逆回転して送出することが可能である。なお、図２は、被記録媒体Ｐがセット部２にセットされた状態であって、被記録媒体Ｐの搬送経路に被記録媒体Ｐが導入される前の状態を表している。
【００２７】
そして、同様に、本実施例の巻取部６は被記録媒体Ｐの記録面Ｐｆが外側になるように巻き取るので、巻取部６の回転軸は回転方向Ｃに回転する。一方、記録面Ｐｆが内側になるように巻き取る場合は、巻取部６の回転軸は回転方向Ｃとは逆回転して巻き取ることが可能である。なお、図３は、被記録媒体Ｐの搬送経路から被記録媒体Ｐが全て巻取部６によって巻き取られた状態を表している。
【００２８】
なお、プラテン３、プラテン４及びプラテン５の少なくとも１か所にヒーターを設けていてもよい。ヒーターをプラテン３に設けることで、記録ヘッド７により記録を実行する前に被記録媒体Ｐを加熱することができる。また、ヒーターをプラテン４に設けることで、記録ヘッド７により記録を実行している位置で被記録媒体Ｐを加熱することができる。また、ヒーターをプラテン３に設けることで、記録ヘッド７により記録がなされた被記録媒体Ｐを巻取部６で巻き取る前に加熱することができる。なお、ヒーターは、被記録媒体Ｐの記録面Ｐｆとは反対側の裏面Ｐｂ側から加熱する電熱線などとしてもよいが、被記録媒体Ｐの記録面Ｐｆ側から電磁波を照射して加熱する赤外線ヒーターなどとしてもよい。
【００２９】
また、図１で表されるように、本実施例の記録装置１は、プラテン３とプラテン４の間に、搬送方向Ａと交差する交差方向Ｂの回転軸を有し、被記録媒体Ｐの裏面Ｐｂに送り力を付与する駆動ローラー９が設けられている。そして、図１で表されるように、本実施例の記録装置１は、駆動ローラー９と対向する位置には、従動ローラー１０が設けられている。なお、従動ローラーとは、被記録媒体Ｐを搬送するために駆動ローラー９を駆動することに伴い、該駆動ローラー９の回転に伴って回転するローラーを意味する。
【００３０】
また、図１から図３で表されるように、本実施例の記録装置１は、駆動ローラー９より搬送方向Ａにおいて下流側のプラテン３と対向する側に、記録ヘッド７を有するキャリッジ８を備えている。記録装置１は、キャリッジ８を介して交差方向Ｂに記録ヘッド７を往復移動させながら、記録ヘッド７に形成された不図示のノズルから被記録媒体Ｐにインクを吐出させて所望の画像を形成する。
【００３１】
なお、本実施例の記録装置１は、往復移動しながら記録する記録ヘッド７を備えているが、インクを吐出するノズルを搬送方向Ａと交差する交差方向Ｂに複数設けた所謂ラインヘッドを備える記録装置としてもよい。  
ここで、「ラインヘッド」とは、被記録媒体Ｐの搬送方向Ａと交差する交差方向Ｂに形成されたノズルの領域が、被記録媒体Ｐの交差方向Ｂ全体をカバー可能なように設けられ、記録ヘッド又は被記録媒体Ｐを相対的に移動させて画像を形成する記録装置に用いられる記録ヘッドである。なお、ラインヘッドの交差方向Ｂのノズルの領域は、記録装置が対応している全ての被記録媒体Ｐの交差方向Ｂ全体をカバー可能でなくてもよい。
【００３２】
次に、図４を参照して本実施例の記録装置１における電気的な構成について説明する。  
制御部１８には、記録装置１の全体の制御を司るＣＰＵ１９が設けられている。ＣＰＵ１９は、システムバス２０を介して、ＣＰＵ１９が実行する各種制御プログラムやメンテナンスシーケンス等を格納したＲＯＭ２１と、データを一時的に格納可能なＲＡＭ２２と、接続されている。
【００３３】
また、ＣＰＵ１９は、システムバス２０を介して、記録ヘッド７を駆動するためのヘッド駆動部２３と接続されている。  
また、ＣＰＵ１９は、システムバス２０を介して、キャリッジ８を交差方向Ｂに沿って移動させるためのキャリッジモーター２５、セット部２の駆動源である送出モーター２６、駆動ローラー９の駆動源である搬送モーター２７、巻取部６の駆動源である巻取モーター２８、を駆動させるためのモーター駆動部２４と接続されている。  
また、ＣＰＵ１９は、システムバス２０を介して、詳細は後述する支持機構１１に設けられたファン１２を駆動するためのファン駆動部１３と接続されている。  
さらに、ＣＰＵ１９は、システムバス２０を介して、入出力部３１と接続されており、入出力部３１は、記録データ等を記録装置１に入力する外部装置であるＰＣ２９と接続されている。
【００３４】
次に、図３、並びに、図５から図９を参照して、本実施例の記録装置１の要部である支持機構１１について説明する。なお、図９の矢印の大きさは吸引力の強さに対応している。
【００３５】
図３及び図９で表されるように、本実施例の記録装置１のプラテン４の支持面４ａには、搬送方向Ａに沿って複数の吸引孔１４が並べて形成される吸引孔列１４Ｒが形成されている。ここで、図３で表されるように、吸引孔列１４Ｒは、支持面４ａの交差方向Ｂにおける略全体に亘り、交差方向Ｂに並んで複数列形成されている。なお、本実施例の記録装置１における各吸引孔１４は何れも丸孔であるが、吸引孔１４の形状に特に限定はない。
【００３６】
図５から図９で表されるように、プラテン４の支持面４ａの下部には、吸引孔１４に連通する内部空間１５が設けられている。内部空間１５の下部には、該内部空間１５内の空気を記録装置１の外部に排出することで該内部空間１５内を負圧にすることが可能なファン１２が設けられている。なお、本実施例の記録装置１においては、交差方向Ｂに３つ並べてファン１２が設けられているが、ファン１２の配置や数に特に限定はない。
【００３７】
また、図５などで表されるように、内部空間１５には、交差方向Ｂに延設される仕切り部材１６が設けられている。仕切り部材１６は、内部空間１５の内部の気体の流れを妨げる役割をしている。なお、図８で表されるように、仕切り部材１６は支持面４ａと接触しない高さとなっている。このような高さの仕切り部材１６を設けていることで、内部空間１５における仕切り部材１６を基準にしてファン１２がある側の負圧を高くし、内部空間１５における仕切り部材１６を基準にしてファン１２が無い側の負圧を低くしている。すなわち、図９の矢印の大きさで表されるように、ファン１２がある側の吸引孔１４である吸引孔１４ａの吸引力を強くし、ファン１２が無い側の吸引孔１４である吸引孔１４ｂの吸引力を弱くしている。言い換えると、図８及び図９で表されるように、支持面４ａは、ファン１２がある側に対応する領域であって第１吸引力を発生させる第１領域Ｒａと、ファン１２が無い側に対応する領域であって第１吸引力よりも弱い第２吸引力を発生させる第２領域Ｒｂと、を有する。
【００３８】
ここで、本実施例の記録装置１においては、支持面４ａのファン１２がある側は記録ヘッド７のノズルが形成された部分に対向する領域に対応し、支持面４ａのファン１２がない側はそれ以外の領域に対応している。このような構成としていることで、記録ヘッド７により画像を形成している領域において被記録媒体Ｐを確りと支持面４ａに吸着させて記録ヘッド７と被記録媒体Ｐとのギャップを精度高く管理し、画像を形成していない領域において吸着力を弱めて被記録媒体Ｐの搬送負荷を軽減している。
【００３９】
ここで一旦まとめると、本実施例の記録装置１は、複数の吸引孔１４が形成された支持面４ａを有し、吸引孔１４に連通する内部空間１５に負圧を付与して支持面４ａに沿って搬送される被記録媒体Ｐを支持するプラテン４と、プラテン４に支持された被記録媒体Ｐに対し、流体であるインクを噴射して記録する記録ヘッド７と、内部空間１５の内部の気体の流れを妨げる仕切り部材１６と、を有している。そして、支持面４ａは、搬送方向Ａにおいて、第１吸引力を発生させる第１領域Ｒａと、第１吸引力よりも弱い第２吸引力を発生させる第２領域Ｒｂと、を有している。
【００４０】
このように、本実施例の記録装置１は、プラテン４の内部空間１５に気体の流れを妨げる仕切り部材１６を有し、強い第１吸引力を発生させる第１領域Ｒａと弱い第２吸引力を発生させる第２領域Ｒｂとを支持面４ａに有する。すなわち、本実施例の記録装置１は、支持面４ａにおいて、被記録媒体Ｐに浮きが生じると記録不良を招く虞がある記録ヘッド７のノズルが形成された部分に対向する領域を第１領域Ｒａとし、残りの領域を第２領域Ｒｂとすることで、記録不良を抑制しつつ被記録媒体Ｐと支持面４ａとの抵抗を低減している。
【００４１】
ここで、本実施例の記録装置１においては、仕切り部材１６は、内部空間１５において着脱可能に構成されている。ここで、図６は仕切り部材１６を内部空間１５に取り付けた状態を表しており、図７は仕切り部材１６を内部空間１５から取り外した状態を表している。仕切り部材１６は内部空間１５において着脱可能に構成されているので、本実施例の記録装置１は、仕切り部材１６の交換や清掃などを簡単に行うことができる構成になっている。
【００４２】
また、本実施例の記録装置１においては、仕切り部材１６は、内部空間１５において搬送方向Ａに沿って移動可能に構成されている。ここで、図５及び図８の実線は仕切り部材１６を搬送方向Ａにおける最も下流側に移動させた状態を表しており、図６及び図８の破線は仕切り部材１６を搬送方向Ａにおける最も上流側に移動させた状態を表している。仕切り部材１６は内部空間１５において搬送方向Ａに移動可能に構成されているので、本実施例の記録装置１は、使用する被記録媒体Ｐの種類や使用する記録ヘッド７のノズルの位置などに応じて、搬送方向Ａにおける第１領域Ｒａと第２領域Ｒｂの比率を簡単に変えることができる。なお、本実施例の記録装置１においては、仕切り部材１６はユーザーが手動で移動させる構成になっているが、例えばモーターの駆動力を利用して制御部１８の制御により仕切り部材１６を自動で移動させる構成としてもよい。
【００４３】
なお、仕切り部材１６の形状を変え、仕切り部材１６を内部空間１５において搬送方向と交差する交差方向Ｂに移動可能な構成としてもよい。仕切り部材１６を内部空間１５において交差方向Ｂに移動可能な構成とすることで、使用する被記録媒体Ｐの幅などに応じて、交差方向Ｂにおける第１領域Ｒａと第２領域Ｒｂの比率を簡単に変えることができるためである。
【００４４】
また、本実施例の記録装置１では、負圧室を形成する内部空間１５は１つである。別の表現をすると、第１領域Ｒａに形成される吸引孔１４ａに連通する内部空間１５と、第２領域Ｒｂに形成される吸引孔１４ｂに連通する内部空間１５とは、１つの負圧室に設けられている。このため、本実施例の記録装置１においては、プラテン４の構成を簡単にしている。
【００４５】
［実施例２］（図１０）  
次に、図１０を参照して実施例２の記録装置１について説明する。  
図１０は本実施例の記録装置１の支持機構１１の概略側面断面図であり、実施例１の記録装置１の支持機構１１の図である図９に対応する図である。なお、上記実施例１と共通する構成部材は同じ符号で示しており、詳細な説明は省略する。ここで、本実施例の記録装置１は、２つの仕切り部材１６を有していること以外は、実施例１の記録装置１と同様の構成である。
【００４６】
図１０で表されるように、本実施例の記録装置１の支持機構１１は、仕切り部材１６ととして、実施例１の記録装置１の支持機構１１に設けられる仕切り部材１６と同様の構成の仕切り部材１６ａに加えて、ファン１２よりも搬送方向Ａの下流側に仕切り部材１６ｂを備えている。別の表現をすると、本実施例の記録装置１は、第２領域Ｒｂは、搬送方向Ａにおいて、第１領域Ｒａを挟む位置に設けられている。すなわち、搬送方向Ａにおいて強い第１吸引力を発生させる第１領域Ｒａを弱い第２吸引力を発生させる第２領域Ｒｂで挟んでいる。このため、搬送される被記録媒体Ｐが第１領域Ｒａ及び第２領域Ｒｂからなる吸引領域を通過する際の該吸引領域での被記録媒体Ｐの引っ掛かりなどを抑制でき、被記録媒体Ｐの搬送不良を抑制している。
【００４７】
なお、本実施例の記録装置１においては、図１０で表されるように、仕切り部材１６ｂの高さは仕切り部材１６ａの高さよりも低くなるように構成されている。このため、ファン１２よりも搬送方向Ａの下流側の第２領域Ｒｂの吸引力は、ファン１２よりも搬送方向Ａの上流側の第２領域Ｒｂの吸引力よりも高くなっている。これは、記録ヘッド７のノズルが形成された領域に対向する搬送方向Ａの下流側の第２領域Ｒｂの吸引力を下げすぎないようにするためである。しかしながら、このような構成に限定されない。
【００４８】
［実施例３］（図１１）  
次に、図１１を参照して実施例３の記録装置１について説明する。  
図１１は本実施例の記録装置１の支持機構１１の概略側面断面図であり、実施例１の記録装置１の支持機構１１の図である図９に対応する図である。なお、上記実施例１及び２と共通する構成部材は同じ符号で示しており、詳細な説明は省略する。ここで、本実施例の記録装置１は、支持機構１１の構成以外は、実施例１及び２の記録装置１と同様の構成である。
【００４９】
本実施例の記録装置１の支持機構１１は、仕切り部材１６を内部空間１５に備えない代わりに、吸引孔１４として、交差方向Ｂに延設されるスリット状の吸引孔１４ｃと、実施例１の記録装置１の吸引孔１４ａ及び１４ｂと同様の丸孔である吸引孔１４ｄと、を備えている。スリット状の吸引孔１４ｃの開口面積は丸孔である吸引孔１４ｄの開口面積よりも広くなるので、吸引孔１４ｃの吸引力は吸引孔１４ｄの吸引力よりも強くなる。これは、同じ負圧で吸引されるのであれば開口面積が広い方が吸引される面積が大きくなるため吸引力は強くなるためである。このため、吸引孔１４ｃが設けられた第１領域Ｒａは吸引孔１４ｄが設けられた第２領域Ｒｂよりも吸引力が強くなる。
【００５０】
ここで一旦まとめると、本実施例の記録装置１は、複数の吸引孔１４が形成された支持面４ａを有し、吸引孔１４に連通する内部空間１５に負圧を付与して支持面４ａに沿って搬送される被記録媒体Ｐを支持するプラテン４と、支持面４ａに支持された被記録媒体Ｐに対し、インクを噴射して記録する記録ヘッド７と、を有している。そして、支持面４ａは、搬送方向Ａにおいて、第１吸引力を発生させる第１領域Ｒａと、第２吸引力を発生させる第２領域Ｒｂと、を有する。そして、第２領域Ｒｂに形成される吸引孔１４ｄは、第１領域Ｒａに形成される吸引孔１４ｃと形状が異なることで、第２吸引力は第１吸引力よりも弱くなるように構成されている。
【００５１】
本実施例の記録装置１も実施例１及び２の記録装置１と同様、強い第１吸引力を発生させる第１領域Ｒａと弱い第２吸引力を発生させる第２領域Ｒｂとを支持面４ａに有する。このため、本実施例の記録装置１も、実施例１及び２の記録装置１と同様、支持面４ａにおいて、被記録媒体Ｐに浮きが生じると記録不良を招く虞がある記録ヘッド７のノズルが形成された領域を第１領域Ｒａとし、残りの領域を第２領域Ｒｂとすることで、記録不良を抑制しつつ被記録媒体Ｐと支持面４ａとの抵抗を低減している。
【００５２】
なお、第１領域Ｒａに形成されるスリット状の吸引孔１４ｃは、交差方向Ｂにおける該吸引孔１４ｃの端部において、支持面４ａに被記録媒体Ｐが支持された場合に被記録媒体Ｐに覆われない領域を有する。このことで、交差方向Ｂにおける被記録媒体Ｐの端部を吸引する部分での吸引力は、空気が吸引孔１４ｃの端部から漏れることにより、第２吸引力よりも弱くなる場合がある。ただし、吸引孔１４ｃのスリット幅は狭いので、第１領域Ｒａ全体としては、第２領域Ｒｂ全体よりも吸引力は強くなる。
【００５３】
なお、第１領域Ｒａに形成される吸引孔１４ｃは、交差方向Ｂに延設されるスリット状であり、言い換えると、交差方向Ｂに延びる通し孔である。このため、本実施例の記録装置１は、第２領域Ｒｂに形成される吸引孔１４ｄよりも開口面積が大きく吸引力の強い吸引孔１４ｃを第１領域Ｒａに簡単に形成している
【００５４】
本発明は、上述の実施例に限られるものではなく、その趣旨を逸脱しない範囲において種々の構成で実現することができる。発明の概要の欄に記載した各形態中の技術的特徴に対応する実施例中の技術的特徴は、上述の課題の一部又は全部を解決するために、あるいは、上述の効果の一部又は全部を達成するために、適宜、差し替えや、組み合わせを行うことが可能である。また、その技術的特徴が本明細書中に必須なものとして説明されていなければ、適宜、削除することが可能である。
【符号の説明】
【００５５】
１…記録装置、２…セット部、３…プラテン、４…プラテン（支持台）、４ａ…支持面、
５…プラテン、６…巻取部、７…記録ヘッド、８…キャリッジ、９…駆動ローラー、
１０…従動ローラー、１１…支持機構、１２…ファン、１３…ファン駆動部、
１４…吸引孔、１４ａ…吸引孔、１４ｂ…吸引孔、１４ｃ…吸引孔、１４ｄ…吸引孔、
１４Ｒ…吸引孔列、１５…内部空間、１６…仕切り部材、１６ａ…仕切り部材、
１６ｂ…仕切り部材、１８…制御部、１９…ＣＰＵ、２０…システムバス、
２１…ＲＯＭ、２２…ＲＡＭ、２３…ヘッド駆動部、２４…モーター駆動部、
２５…キャリッジモーター、２６…送出モーター、２７…搬送モーター、
２８…巻取モーター、２９…ＰＣ、３１…入出力部、Ｐ…被記録媒体、Ｐｂ…裏面、
Ｐｆ…記録面、Ｒａ…第１領域、Ｒｂ…第２領域
【図１】
2020049750.tif 000003
【図２】
2020049750.tif 000004
【図３】
2020049750.tif 000005
【図４】
2020049750.tif 000006
【図５】
2020049750.tif 000007
【図６】
2020049750.tif 000008
【図７】
2020049750.tif 000009
【図８】
2020049750.tif 000010
【図９】
2020049750.tif 000011
【図１０】
2020049750.tif 000012
【図１１】
2020049750.tif 000013